(57)【要約】【課題】画像形成装置各部を動作させるための動作設定情報と、ウェブページ表示のためのウェブページ表示設定情報とを取り扱う画像形成装置において、当該画像形成装置の動作制御システムによる各設定情報管理を容易にし、各設定情報の入力操作を簡単にする。【解決手段】画像を表示する表示部と、表示部にウェブページを表示させるウェブブラウザ５２２１と、複合機の動作に関する動作設定と、ウェブブラウザ５２２１によるウェブページ表示制御に関するウェブページ表示設定の入力をユーザから受け付けて記憶する動作設定部５２１２とを備え、動作設定部５２１２は、ウェブブラウザ５２２１の起動時に、ウェブページ表示設定を当該ウェブブラウザ５２２１に出力し、ウェブブラウザ５２２１は、当該ウェブページ表示設定を用いて表示部にウェブページを表示する。【選択図】図３
2010068456.tif 000002
【特許請求の範囲】
【請求項１】
画像を表示する表示部と、
前記表示部にウェブページを表示させるウェブブラウザ機能部と、
当該画像形成装置の動作に関する動作設定と、前記ウェブブラウザ機能部による前記表示部のウェブページ表示制御に関するウェブページ表示設定の入力をユーザから受け付けて記憶する動作設定部とを備え、
前記動作設定部は、前記ウェブブラウザ機能部の起動時に、前記ウェブページ表示設定を当該ウェブブラウザ機能部に出力し、当該ウェブブラウザ機能部は、当該ウェブページ表示設定を用いて、前記表示部にウェブページを表示する制御を行う画像形成装置。
【請求項２】
ユーザが前記動作設定を入力するための画像形成装置用操作案内画像を前記表示部に表示する表示制御部を更に備え、
前記表示制御部は、前記表示部に、前記ウェブページ表示設定を入力するためのウェブブラウザ用操作案内画像を、前記画像形成装置用操作案内画像と並列させて表示し、
前記動作設定部は、前記画像形成装置用操作案内画像に基づくユーザの操作に応じて、前記動作設定の入力を、タッチパネル機能によりユーザから受け付けると共に、前記ウェブブラウザ用操作案内画像に基づくユーザの操作に応じて、前記ウェブページ表示設定の入力を、タッチパネル機能によりユーザから受け付ける請求項１に記載の画像形成装置。
【請求項３】
前記ウェブブラウザ機能部は、当該画像形成装置に対して取り換え自在に構成され、
前記動作設定部は、取り換え後の前記ウェブブラウザ機能部の起動時に、前記記憶しているウェブページ表示設定を、当該取り換え後のウェブブラウザ機能部に出力し、当該ウェブブラウザ機能部は、当該受け取ったウェブページ表示設定を用いて、前記表示部にウェブページを表示する制御を行う請求項１又は請求項２に記載の画像形成装置。
【請求項４】
前記ウェブブラウザ機能部は、ユーザからの前記ウェブページ表示設定の入力を受け付けて記憶し、前記ウェブページ表示設定を変更する入力を受け付けて記憶した場合、この時点で起動させているウェブブラウザ機能でのみ当該入力内容を有効とし、この時点で起動させているウェブブラウザ機能を閉じると、当該入力内容を無効とする請求項１乃至請求項３のいずれかに記載の画像形成装置。
【請求項５】
画像形成装置に内蔵されるコンピュータを、
前記画像形成装置の表示部にウェブページを表示させるウェブブラウザ機能部と、
当該画像形成装置の動作に関する動作設定と、前記ウェブブラウザ機能部による前記表示部のウェブページ表示制御に関するウェブページ表示設定の入力をユーザから受け付けて記憶する動作設定部として機能し、
前記動作設定部が、前記ウェブブラウザ機能部の起動時に、前記ウェブページ表示設定を当該ウェブブラウザ機能部に出力し、当該ウェブブラウザ機能部は、当該ウェブページ表示設定を用いて、前記表示部にウェブページを表示する制御を行うように機能させる動作制御プログラム。
【発明の詳細な説明】
【技術分野】
【０００１】
本発明は、画像形成装置、及び動作制御プログラムに関し、特に、表示部にウェブページを表示させる際の技術に関する。
【背景技術】
【０００２】
従来から、コピー機や、複合機（コピー機能、プリンタ機能、ファクシミリ機能、スキャナ機能を兼ね備えた機器）等の画像形成装置には、ユーザ操作者に対して操作案内を表示するために、ＬＣＤ（Liquid Crystal Display）等からなる表示部が設けられている。そして、下記特許文献１に示されるように、画像形成装置をインターネット接続し、当該表示部に、上記操作案内に加えてインターネット上のウェブページを表示可能にした画像形成装置が提案されている。
【特許文献１】特開２００３−１２２２７９号公報
【発明の開示】
【発明が解決しようとする課題】
【０００３】
上記特許文献１に示されるような画像形成装置では、画像形成機構等の動作制御は、画像形成装置各部の動作制御を司るメインコントローラが担当し、ウェブページを表示部に表示するための制御は、ウェブブラウザが担当するのが一般的である。そして、画像形成装置各部を動作させるための動作設定は、メインコントローラがその設定内容の入力を受け付けて記憶し、インターネット接続に使用するポートの設定や、表示部でのウェブページ表示時の文字サイズ等の設定は、当該ウェブブラウザがユーザから各項目についての設定内容の入力を受け付けて記憶する。
【０００４】
しかし、このように画像形成装置各部の動設定と、ウェブページ表示のためのウェブページ表示設定の記憶先が別々であると、画像形成装置の動作制御システムにおけるこれら各設定情報の管理が容易ではなく、また、これら各設定を行うためにユーザに要求される操作も複雑になる。
【０００５】
本発明は、上記の問題を解決するためになされたもので、画像形成装置各部を動作させるための動作設定情報と、ウェブページ表示のためのウェブページ表示設定情報とを取り扱う画像形成装置において、当該画像形成装置の動作制御システムにおける当該各設定情報の管理を容易にすると共に、これら各設定情報の入力を行うためにユーザに要求される操作を簡単にすることを目的とする。
【課題を解決するための手段】
【０００６】
本発明の請求項１に記載の発明は、画像を表示する表示部と、
前記表示部にウェブページを表示させるウェブブラウザ機能部と、
当該画像形成装置の動作に関する動作設定と、前記ウェブブラウザ機能部による前記表示部のウェブページ表示制御に関するウェブページ表示設定の入力をユーザから受け付けて記憶する動作設定部とを備え、
前記動作設定部は、前記ウェブブラウザ機能部の起動時に、前記ウェブページ表示設定を当該ウェブブラウザ機能部に出力し、当該ウェブブラウザ機能部は、当該ウェブページ表示設定を用いて、前記表示部にウェブページを表示する制御を行う画像形成装置である。
【０００７】
また、請求項５に記載の発明は、画像形成装置に内蔵されるコンピュータを、
前記画像形成装置の表示部にウェブページを表示させるウェブブラウザ機能部と、
当該画像形成装置の動作に関する動作設定と、前記ウェブブラウザ機能部による前記表示部のウェブページ表示制御に関するウェブページ表示設定の入力をユーザから受け付けて記憶する動作設定部として機能し、
前記動作設定部が、前記ウェブブラウザ機能部の起動時に、前記ウェブページ表示設定を当該ウェブブラウザ機能部に出力し、当該ウェブブラウザ機能部は、当該ウェブページ表示設定を用いて、前記表示部にウェブページを表示する制御を行うように機能させる動作制御プログラムである。
【０００８】
これらの発明によれば、動作設定部が、画像形成装置の動作に関する動作設定と、ウェブブラウザ機能部によるウェブページ表示設定の両方の入力をユーザから受け付けて記憶し、当該動作設定部は、ウェブブラウザ機能部の起動時にウェブページ表示設定をウェブブラウザ機能部に出力し、ウェブブラウザ機能部は当該ウェブページ表示設定を用いてウェブページ表示制御を行うので、動作設定部によりこれら両方の設定情報が一元管理されることになり、当該画像形成装置の動作システムによる当該各設定情報の管理が容易になると共に、これら各設定の入力を行うためにユーザに要求される操作も簡単になる。
【０００９】
また、請求項２に記載の発明は、請求項１に記載の表示制御装置であって、ユーザが前記動作設定を入力するための画像形成装置用操作案内画像を前記表示部に表示する表示制御部を更に備え、
前記表示制御部は、前記表示部に、前記ウェブページ表示設定を入力するためのウェブブラウザ用操作案内画像を、前記画像形成装置用操作案内画像と並列させて表示し、
前記動作設定部は、前記画像形成装置用操作案内画像に基づくユーザの操作に応じて、前記動作設定の入力を、タッチパネル機能によりユーザから受け付けると共に、前記ウェブブラウザ用操作案内画像に基づくユーザの操作に応じて、前記ウェブページ表示設定の入力を、タッチパネル機能によりユーザから受け付けるものである。
【００１０】
この発明によれば、表示制御部は、表示部に上記ウェブブラウザ用操作案内画像を上記画像形成装置用操作案内画像と並列させて表示し、動作設定部は、当該画像形成装置用操作案内画像に基づくユーザの操作に応じて、当該画像形成装置の動作に関する動作設定の入力をユーザから受け付けると共に、ウェブブラウザ用操作案内画像に基づくユーザの操作に応じて、上記ウェブページ表示制設定の入力をユーザから受け付けるので、ユーザは、画像形成装置の動作に関する動作設定と、ウェブブラウザ機能部で用いられるウェブページ表示設定とを同様の操作で入力することが可能になり、これら各設定の入力を行うためにユーザに要求される操作が更に簡単になる。
【００１１】
また、請求項３に記載の発明は、請求項１又は請求項２に記載の画像形成装置であって、前記ウェブブラウザ機能部は、当該画像形成装置に対して取り換え自在に構成され、
前記動作設定部は、取り換え後の前記ウェブブラウザ機能部の起動時に、前記記憶しているウェブページ表示設定を、当該取り換え後のウェブブラウザ機能部に出力し、当該ウェブブラウザ機能部は、当該受け取ったウェブページ表示設定を用いて、前記表示部にウェブページを表示する制御を行うものである。
【００１２】
この発明によれば、動作設定部は、取り換え後のウェブブラウザ機能部に対しても、その起動時に上記ウェブページ表示設定を出力し、当該ウェブブラウザ機能部は当該ウェブページ表示設定を用いてウェブページ表示制御を行うので、ウェブブラウザ機能部が交換されて新たなウェブブラウザ機能部が動作する場合であっても、それまでに動作設定部に記憶されている上記ウェブページ表示設定が、当該新たなウェブブラウザ機能部に有効に適用される。これにより、ユーザは、ウェブブラウザ機能部を取り換えた場合であっても、新たなウェブブラウザ機能部に対して上記ウェブページ表示設定を入力する操作を行う必要がないため、ウェブブラウザ機能部の交換時にユーザに要求される操作が簡単になる。
【００１３】
また、請求項４に記載の発明は、請求項１乃至請求項３のいずれかに記載の画像形成装置であって、前記ウェブブラウザ機能部は、ユーザからの前記ウェブページ表示設定の入力を受け付けて記憶し、前記ウェブページ表示設定を変更する入力を受け付けて記憶した場合、この時点で起動させているウェブブラウザ機能でのみ当該入力内容を有効とし、この時点で起動させているウェブブラウザ機能を閉じると、当該入力内容を無効とするものである。
【００１４】
この発明によれば、ユーザが、ウェブブラウザ機能部において上記ウェブページ表示設定を入力して変更した場合、ウェブブラウザ機能部は、この時点で起動させているウェブブラウザ機能でのみ当該入力内容を有効とし、当該ウェブブラウザ機能を閉じると当該入力内容を無効とするので、動作設定部には、動作設定部が入力を受け付けたウェブページ表示設定のみが記憶され、改めてウェブブラウザ機能部が起動されたときは、当該動作設定部に記憶されているウェブページ表示設定がウェブブラウザ機能部によるウェブページ表示制御に反映される。これにより、当該画像形成装置の動作制御システムにおける各設定情報の管理の容易性が保たれる。
【発明の効果】
【００１５】
本発明によれば、画像形成装置各部を動作させるための動作設定情報と、ウェブページ表示のためのウェブページ表示設定情報とを取り扱う画像形成装置において、当該画像形成装置の動作制御システムにおける当該各設定情報の管理を容易にできると共に、これら各設定情報の入力を行うためにユーザに要求される操作を簡単にすることができる。
【発明を実施するための最良の形態】
【００１６】
以下、本発明に係る表示制御装置を備える画像形成装置の実施形態を説明する。図１は、本発明に係る表示制御装置を備える画像形成装置の一実施形態である複合機の構成を示す側面概略図である。
【００１７】
複合機１は、本体部２００と、本体部２００の用紙搬出側、例えば左側に配設された用紙後処理部３００と、ユーザ操作者が種々の操作指令等を入力するための操作部４００と、本体部２００の上部に配設された原稿読み取り部５００と、原稿読み取り部５００の上部に配設された原稿給送部６００とから構成される。
【００１８】
操作部４００は、ＬＣＤ（Liquid Crystal Display）等からなる表示部（表示手段）４１０と、ユーザから操作指示が入力される操作キー部４３０を備える。操作キー部４３０は、スタートキー及びテンキー等を備える。
【００１９】
原稿給送部６００は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２０】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２１】
感光体ドラム２０４は、矢印方向に回転しながら帯電装置（図示省略）によって一様に帯電される。露光装置２０６は、原稿読み取り部５００において読み取られた原稿の画像データに応じて変調されたレーザ光を感光体ドラム２０４上に走査し、ドラム表面に静電潜像を形成する。現像装置２０７は、黒色の現像剤を感光体ドラム２０４に供給してトナー画像を形成する。
【００２２】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２３】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２４】
図２は、複合機１の制御ブロック図である。複合機１は、スキャナ部１１、画像処理部２１、記録部３１、操作部４００、制御ユニット５０、ネットワークＩ／Ｆ（インターフェース）部７１、及びＨＤＤ（ハードディスクドライブ）７４を備える。
【００２５】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２６】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、記録部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２７】
記録部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。記録部３１は、スキャナ部１１により読み取られた原稿データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００２８】
ネットワークＩ／Ｆ部７１は、ネットワークインタフェース等を用い、イーサネット（登録商標）等によりＬＡＮ（Local Area Network）を介して、外部装置との間での種々のデータの送受信を制御すると共に、インターネットへの接続を行う。ＨＤＤ７４は、スキャナ部１１によって読み取られた画像データ及び当該画像データに設定されている出力形式等を記憶する。
【００２９】
操作部４００は、図１に示す表示部４１０、操作キー部４３０を備える。表示部４１０は、タッチパネルとＬＣＤとを組み合わせたタッチパネルユニット等から構成される。表示部４１０は、種々の操作画面を表示すると共に、ユーザが表示面（表示されている操作キー）をタッチすることで種々の機能の実行指令を入力することが可能である。操作キー部４３０は、上述のようにスタートキー、テンキー等を有する。
【００３０】
制御ユニット５０は、制御部５２と、表示画像データ記憶部５３とを備える。
【００３１】
制御部５２は、メインコントローラユニット５２１と、表示制御ユニット５２２とを備える。メインコントローラユニット５２１は、複合機１の動作制御を司る。表示制御ユニット５２２は、ユーザに対する複合機１の操作案内情報及びウェブページ等を表示部４１０に表示させるための表示制御を行う。表示画像データ記憶部５３は、表示部４１０に表示させる各種の画像データを記憶している。表示画像データ記憶部５３に記憶されている当該各種画像データは、ユーザに対する複合機１の各操作案内情報の表示等を示す画像からなるものである。
【００３２】
図３は複合機１の制御ユニット５０の構成を抽出して示す図である。制御ユニット５０は、上述したように、メインコントローラユニット５２１と、表示制御ユニット５２２とを備える。当該メインコントローラユニット５２１は、例えばＣＰＵからなり、表示制御ユニット５２２は例えばＡＳＩＣ（Application Specific Integrated Circuit）からなり、これらを構成する各ボードは、例えばＵＳＢ（Universal Serial Bus）で接続される。
【００３３】
メインコントローラユニット５２１は、動作制御部５２１１と、動作設定部５２１２と、プロキシサーバ５２１３とを備える。
【００３４】
動作制御部５２１１は、複合機１の各部（スキャナ部１１，画像処理部２１、記録部３１等）の動作制御を司る。
【００３５】
動作設定部５２１２は、当該複合機１の各部の動作に関する動作設定と、ウェブブラウザ５２２１による表示部４１０でのウェブページ表示制御に関するウェブページ表示設定の入力をユーザから受け付けて記憶する。このウェブページ表示設定は、例えば、インターネット接続に使用するポートの設定や、表示部４１０でのウェブページ表示時の文字サイズ等の設定、ウェブブラウザ５２２１の起動時に初期画面として表示する第１ページ（ホームページ設定）、プロキシ設定、クッキー（cookie）の設定、表示形式設定、また、ウェブブラウザ５２２１の使用有無等の項目（システムメニュー設定項目）に関する設定内容からなる。
【００３６】
当該動作設定部５２１２は、ウェブブラウザ５２２１の起動時に、上記ウェブページ表示設定をウェブブラウザ５２２１に出力する。当該ウェブブラウザ５２２１は、このウェブページ表示設定を用いて表示部４１０にウェブページを表示する制御を行う。
【００３７】
プロキシサーバ５２１３は、ウェブブラウザ５２２１とインターネット網の間に介在してインターネットとの接続を行なう。プロキシサーバ５２１３は、イーサネット（登録商標）等を介してインターネットに接続する。
【００３８】
表示制御ユニット５２２は、ウェブブラウザ５２２１と、パネルアプリケーション５２２２とを備える。
【００３９】
ウェブブラウザ（ウェブブラウザ機能部の一例）５２２１は、表示部４１０にインターネット上のウェブページを表示させるために必要な処理等を実行する。
【００４０】
ウェブブラウザ５２２１は、ウェブ表示制御部５２２３と、ウェブページ表示設定受付部５２２４とを備える。
【００４１】
ウェブ表示制御部５２２３は、表示部４１０にウェブページを表示させるために必要な処理を行う。ウェブ表示制御部５２２３は、上記したように、ウェブブラウザ５２２１の起動時に、動作設定部５２１２からウェブページ表示設定の情報を取得し、当該ウェブページ表示設定を用いて表示部４１０にウェブページを表示する。
【００４２】
ウェブページ表示設定受付部５２２４は、ユーザから上記ウェブページ表示設定の入力を受け付けて記憶する。当該ウェブページ表示設定は、例えば、表示サイズ(拡大縮小)設定、文字コード設定等の項目に関する設定内容からなる。ウェブページ表示設定受付部５２２４は、ユーザから上記ウェブページ表示設定の入力を受け付ける際、表示部４１０に、入力案内画像を表示させ、当該入力案内画像をユーザが押下することに基づいて、タッチパネル機能により各設定内容の入力を受け付けるようになっている。ウェブページ表示設定受付部５２２４は、当該ウェブページ表示設定の入力をユーザから受け付けて記憶すると、その時点で表示しているウェブブラウザ機能でのみ当該入力内容を有効とし、この時点で表示しているウェブブラウザ機能が閉じられると、当該入力内容を無効にする。
【００４３】
パネルアプリケーション５２２２は、複合機１の各操作案内等を表示部４１０に表示させるために必要な処理を実行する。パネルアプリケーション５２２２は、複合機１の各操作案内に対応する画像データを、上記表示画像データ記憶部５３から読み出して、表示部４１０に表示させる。
【００４４】
また、複合機１では、ユーザが動作設定部５２１２に対して上記複合機１の各部の動作設定及びウェブページ表示設定を入力する場合、表示部４１０に表示された操作案内画像をユーザが押下することで、動作設定部５２１２が、タッチパネル機能により各設定内容の入力を受け付けるようになっている。パネルアプリケーション５２２２は、このようにユーザが動作設定及びウェブページ表示設定を動作設定部５２１２に入力する際に、上記操作案内画像を表示部４１０に表示する。複合機１の各部の動作設定をユーザが入力するために表示部４１０に表示される操作案内画像を画像形成装置用操作案内画像と称し、ウェブページ表示設定をユーザが入力するために表示部４１０に表示される操作案内画像をウェブブラウザ用操作案内画像と称する。
【００４５】
なお、上記には、制御部５２が、ＣＰＵからなるメインコントローラユニット５２１と、ＡＳＩＣからなる表示制御ユニット５２２とで構成されている例を示したが、これに限られず、例えば、ＨＤＤ７４に本発明の一実施形態に係る動作制御プログラムが記憶されており、ＣＰＵ等からなる制御部５２が、当該表示制御プログラムに従って動作することで、上記動作設定部５２１２及びウェブブラウザ５２２１として機能してもよいし、これに加えて更に、動作制御部５２１１、プロキシサーバ５２１３、及びパネルアプリケーション５２２２としても機能するものであってもよい。
【００４６】
次に、複合機１の各部の動作設定とウェブページ表示設定との入力をユーザから受け付ける処理の第１実施形態を説明する。図４は複合機１の各部の動作設定とウェブページ表示設定との入力をユーザから受け付ける処理の第１実施形態を示すフローチャートである。図５は操作部４００の操作パネル部分を示す図である。図６は初期操作画面の例を示す図である。図７はマシン初期設定画面の例を示す図である。図８は動作設定を入力する画面の例を示す図である。図９はウェブページ表示設定を入力する画面の例を示す図である。図１０はブラウザ設定項目選択画面の例を示す図である。図１１は文字サイズ設定画面の例を示す図である。
【００４７】
ユーザが、複合機１の使用開始時に当該複合機１の主電源をＯＮにすると（Ｓ１でＹＥＳ）、パネルアプリケーション５２２２は、表示画像データ記憶部５３から、初期操作画面に対応する画像データを読み出して、図６に示すような初期画面４１０１を表示部４１０に表示させる（Ｓ２）。このとき、操作部４００は、ユーザから各種動作実行指示（コピー動作実行指示や複合機１の動作に関するマシン初期設定画面の表示指示等）が受付可能な状態となる（Ｓ３，Ｓ１２）。この初期画面４１０１は、図５に示す操作パネル４７内の表示部４１０に、例えばコピー動作時の各種設定を受け付けるキー１０１乃至１０４等が表示されると共に、ウェブブラウザを起動させるウェブブラウザ起動指示（ウェブブラウザの起動により予め設定されているウェブページを表示部４１０に表示させる指示）をユーザから受け付けるブラウザキー１０５が表示される。当該初期画面４１０１及び以下に示す各画面に表示されるキーは、タッチパネル機能によりユーザからの指示の入力がウェブブラウザ５２２１、動作制御部５２１１及び動作設定部５２１２等に受け付けられる。
【００４８】
なお、操作パネル４７は、複合機１のフロント部に設けられている。この操作パネル４７は、ユーザが印刷実行指示を入力するためのスタートキー４７１と、印刷部数等を入力するためのテンキー４７２と、表示部４１０を備えている。さらに、操作パネル４７には、表示部４１０で設定された動作設定の内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７と、複合機１各部の初期設定の入力をユーザから受け付けるためのマシン初期設定画面の表示指示入力を受け付ける初期設定ボタン４７８とが備えられている。
【００４９】
ここで、ユーザによる操作部４００の操作で、ウェブページ表示指示以外のいずれかの動作実行指示、例えば、コピー動作実行指示が入力され、当該指示が操作部４００に受け付けられた場合（Ｓ３でＮＯ，Ｓ１２でＹＥＳ）、動作制御部５２１１は、指示された動作、例えばコピー動作を実行する（Ｓ１３）。なお、操作部４００がユーザからいずれの動作実行指示も受け付けない場合は（Ｓ１２でＮＯ）、処理はＳ２に戻り、パネルアプリケーション５２２２が初期画面４１０１を表示部４１０に表示させ、操作部４００がユーザからの各種動作実行指示の入力を待機する状態が継続する。
【００５０】
そして、上記初期画面４１０１の表示に、ユーザにより、操作パネル４７の初期設定ボタン４７８が押下され、マシン初期設定画面の表示指示の入力がパネルアプリケーション５２２２に受け付けられた場合は（Ｓ３でＹＥＳ）、パネルアプリケーション５２２２は、複合機１各部の動作設定（初期設定）を入力するためのマシン初期設定画面４１０４（一例は図７参照）を表示部４１０に表示する（Ｓ４）。このとき、パネルアプリケーション５２２２は、図７に示すように、マシン初期設定画面４１０４内に、上述した画像形成装置用操作案内画像としての「コピー初期設定」ボタン４１０４ａ、「マシン初期設定」ボタン４１０４ｂ、及び「言語切替」ボタン４１０４ｃ等と、ウェブブラウザ用操作案内画像としての「ブラウザ初期設定」４１０４ｄとを並列して表示する。
【００５１】
ここで、ユーザにより、画像形成装置用操作案内画像のいずれか、例えば「マシン初期設定」ボタン４１０４ｂが押下されて、タッチパネル機能により、複合機１各部の動作設定（初期設定）を入力する旨の指示をパネルアプリケーション５２２２が受け付けた場合は（Ｓ５でＹＥＳ）、パネルアプリケーション５２２２は図８に示すような設定項目選択画面４１０６を表示部４１０に表示する（Ｓ１０）。
【００５２】
この設定項目選択画面４１０６の表示時に、ユーザによる矢印キー４１０６ａ，４１０６ｂ及び設定値変更ボタン４１０６ｃの操作で、例えば「タッチパネル音」の項目が選択され、パネルアプリケーション５２２２が当該選択指示を受け付けると、図９に示すようなタッチパネル音設定画面４１０７を表示部４１０に表示させる。このタッチパネル音設定画面４１０７の表示時に、ユーザによる「あり」キー４１０７ａ又は「なし」キー４１０７ｂの操作で、タッチパネル音を鳴らすか否かが選択され、すなわち、複合機１各部の動作設定の値が入力されると（Ｓ１１でＹＥＳ）、動作設定部５２１２は、当該値の入力を受け付けて、入力された値が示す設定内容（この例では、タッチパネル音を鳴らすか否か）を記憶する（Ｓ９）。
【００５３】
一方、マシン初期設定画面４１０４の表示時に、ユーザにより、ウェブブラウザ用操作案内画像としての「ブラウザ初期設定」４１０４ｄが押下されて、タッチパネル機能により、ウェブブラウザ５２２１についてのウェブページ表示設定（初期設定）を入力する旨の指示をパネルアプリケーション５２２２が受け付けた場合は（Ｓ５でＮＯ，Ｓ６でＹＥＳ）、パネルアプリケーション５２２２は図１０に示すようなブラウザ設定項目選択画面４１０８を表示部４１０に表示する（Ｓ７）。
【００５４】
このブラウザ設定項目選択画面４１０８の表示時に、ユーザによる矢印キー４１０８ａ，４１０８ｂ及び設定値変更ボタン４１０８ｃの操作で、例えば「文字サイズ」の項目が選択され、パネルアプリケーション５２２２が当該選択指示を受け付けると、図１１に示すような文字サイズ設定画面４１０９を表示部４１０に表示させる。この文字サイズ設定画面４１０９の表示時に、ユーザによる「最大」キー４１０９ａ、「大」キー４１０９ｂ、「小」キー４１０９ｃ、又は「最小」キー４１０９ｄの操作で、例えば「小」キー４１０９ｃの押下により、ウェブページ表示時に用いる文字サイズを小サイズとする旨の指示、すなわち、ウェブブラウザ５２２１についてのウェブページ表示設定の値が入力されると（Ｓ８でＹＥＳ）、動作設定部５２１２は、当該値の入力を受け付けて、入力された値が示す設定内容（ここでの例では、文字サイズを小サイズにすること）を記憶する（Ｓ９）。
【００５５】
すなわち、本実施形態では、動作設定部５２１２が、複合機１各部の動作設定及びウェブブラウザ５２２１についてのウェブページ表示設定の両方の設定内容を記憶して管理する。
【００５６】
次に、複合機１における表示部４１０の表示制御を説明する。図１２は複合機１における表示部４１０の表示制御を示すフローチャートである。図１３はウェブページ表示画面の例を示す図である。
【００５７】
ユーザが、複合機１の使用開始時に当該複合機１の主電源をＯＮにすると（Ｓ２１でＹＥＳ）、パネルアプリケーション５２２２は、表示画像データ記憶部５３から、初期操作画面に対応する画像データを読み出して、初期画面４１０１（図６）を表示部４１０に表示させる（Ｓ２２）。このとき、操作部４００は、ユーザから各種動作実行指示（コピー動作実行指示やウェブページ表示指示等）が受付可能な状態となる（Ｓ２３，Ｓ２７）。
【００５８】
ここで、ユーザによる操作部４００の操作で、ウェブページ表示指示以外のいずれかの動作実行指示、例えば、コピー動作実行指示が入力され、当該指示が操作部４００に受け付けられた場合（Ｓ２３でＮＯ，Ｓ２７でＹＥＳ）、動作制御部５２１１は、指示された動作、例えばコピー動作を実行する（Ｓ２８）。なお、操作部４００がユーザからいずれの動作実行指示も受け付けない場合は（Ｓ２７でＮＯ）、処理はＳ２２に戻る。
【００５９】
一方、ユーザにより、初期画面４１０１において、ブラウザキー１０５が押下され、タッチパネル機能によりウェブブラウザ５２２１の起動指示（ウェブページ表示指示）が受け付けられた場合は（Ｓ２３でＹＥＳ）、ウェブブラウザ５２２１が例えば当該ウェブページ表示指示に基づいて起動を開始する（Ｓ２４）。このとき、動作設定部５２１２は、記憶しているウェブページ表示設定の情報をウェブブラウザ５２２１に出力する（Ｓ２５）。
【００６０】
そして、ウェブブラウザ５２２１のウェブ表示制御部５２２３は、動作設定部５２１２から上記ウェブページ表示設定の情報を取得すると、当該ウェブページ表示設定（すなわち、当該ウェブページ表示設定が示すポート設定、文字サイズ、初期画面として表示する第１ページ、プロキシ設定等のウェブページの表示に必要な上述したような各項目）に従って、プロキシサーバ５２１３を介して、ウェブブラウザ表示時の上記第１ページとして設定されているウェブページのウェブサイトにアクセスし、当該ウェブサイトから、第１ページとなるウェブページの画像データを取得して、例えば図１３に示すようなウェブページ表示画面４１０３を表示部４１０に表示する（Ｓ２６）。
【００６１】
なお、ウェブ表示制御部５２２３は、ウェブページ表示画面４１０３において、スクロールバーＢ１及び画面クローズボタンＢ２等を表示させる。スクロールバーＢ１及び画面クローズボタンＢ２等は、タッチパネル機能を利用してユーザがウェブページのスクロール指示、ウェブページを閉じる指示等を入力する操作を容易にするため、スクロールバーＢ１や画面クローズボタンＢ２は、ユーザが指で触れやすい程度の大きさに設定されている。
【００６２】
次に、ウェブブラウザ５２２１でウェブページ表示設定を受け付けた場合の処理を説明する。図１４はウェブブラウザ５２２１でウェブページ表示設定を受け付けた場合の処理を示すフローチャートである。図１５は、ウェブブラウザ５２２１でウェブページ表示設定を入力する場合の表示画面例を示す図である。なお、図１２に示した処理と同様の処理は説明を省略する。
【００６３】
ウェブ表示制御部５２２３は、動作設定部５２１２から取得したウェブページ表示設定が示すポート設定や文字サイズ等に従って、ウェブページ表示画面４１０３を表示部４１０に表示しているとき（Ｓ３６）、ウェブページ表示画面４１０３内に、ユーザからウェブページ表示設定の内容を変更する指示を受け付けるためのドライバボタンＢ４の画像を表示させている。
【００６４】
このとき、ユーザが当該ドライバボタンＢ４を押下することに基づいて、タッチパネル機能によりウェブ表示制御部５２２３が、ウェブページ表示設定の変更指示を受け付けると（Ｓ３７でＹＥＳ）、ウェブ表示制御部５２２３は、ウェブページ表示画面４１０３内に、ウェブページ表示設定の変更指示を受け付けるための項目ボタンの画像を表示させる（Ｓ３８）。例えば、ウェブ表示制御部５２２３は、図１５に示すように、ウェブページ表示画面４１０３のドライバボタンＢ４の表示位置から上方に向かう位置に、ウェブページ表示設定の変更指示を受け付けるための項目ボタンＢ４１をプルアップ表示させる。ここで、ユーザが例えば、項目ボタンＢ４１の「文字サイズ」の欄を押下してタッチパネル機能によりウェブ表示制御部５２２３が当該押下による指示を受け付けると、同じく図１５に示すように、ウェブ表示制御部５２２３は、項目ボタンＢ４１に隣接する位置に、文字サイズ選択ボタンＢ４１１を表示させる。このとき、ユーザが「小」の欄を押下することでタッチパネル機能によりウェブページ表示設定受付部５２２４が、例えば文字サイズを小サイズに変更するウェブページ表示設定の値の入力を受け付けると（Ｓ３９でＹＥＳ）、ウェブページ表示設定受付部５２２４は、当該入力された値が示すウェブページ表示設定の内容（ここでは、文字サイズを小サイズに変更すること）を記憶する（Ｓ４０）。
【００６５】
ウェブページ表示設定受付部５２２４が上記のようにウェブページ設定内容を記憶すると、ウェブ表示制御部５２２３は、当該記憶されたウェブページ表示設定に基づいて、表示中のウェブページを再表示する（Ｓ４１）。ここでは、表示中のウェブページを、文字サイズを小サイズに変更して再度表示する。
【００６６】
この後、ウェブブラウザ５２２１が、画面クローズボタンＢ２に基づくユーザによる操作で、この時点で起動させているウェブブラウザ機能を閉じる旨の指示を受け付けた場合（Ｓ４２でＹＥＳ）、ウェブブラウザ５２２１は、ウェブページ表示設定受付部５２２４によって入力が受け付けられた上記ウェブページ設定内容を消去した上で、この時点で起動させているウェブブラウザ機能を閉じる（Ｓ４３）。
【００６７】
すなわち、メインコントローラユニット５２１の動作設定部５２１２には、当該動作設定部５２１２において入力を受け付けたウェブページ表示設定のみが記憶された状態が維持される。改めてウェブブラウザ５２２１がウェブブラウザ機能を起動させたときは、当該動作設定部５２１２に記憶されているウェブページ表示設定が、新たに起動されたウェブブラウザ５２２１によるウェブブラウザ機能によるウェブページ表示制御に反映される。
【００６８】
なお、本発明は上記実施の形態の構成に限られず種々の変形が可能である。例えば、上記第１又は第２実施形態では、ウェブブラウザ５２２１が、表示部４１０へのウェブページ表示処理等を行うとして説明しているが、これらの処理を行うのは、所謂ウェブブラウザと呼ばれるアプリケーションに限られず、上記各処理を実行可能なアプリケーション又は回路であればよい。すなわち、本実施形態においては、ウェブブラウザ５２２１は、上記各処理を実行可能なアプリケーション又は回路を包含する概念である。
【００６９】
また、上記実施形態では、本発明に係る表示制御装置、画像形成装置、及び表示制御プログラムの実施形態を、図１乃至図１５に示しているが、これらは本発明の一例に過ぎず、本発明の構成又は処理等をこれらに限定する趣旨ではない。
【図面の簡単な説明】
【００７０】
【図１】本発明に係る表示制御装置を備える画像形成装置の一実施形態である複合機の構成を示す側面概略図である。
【図２】複合機の制御ブロック図である。
【図３】複合機の制御ユニットの構成を抽出して示す図である。
【図４】複合機の各部の動作設定とウェブページ表示設定との入力をユーザから受け付ける処理の第１実施形態を示すフローチャートである。
【図５】操作部の操作パネル部分を示す図である。
【図６】初期操作画面の例を示す図である。
【図７】マシン初期設定画面の例を示す図である。
【図８】動作設定を入力する画面の例を示す図である。
【図９】ウェブページ表示設定を入力する画面の例を示す図である。
【図１０】ブラウザ設定項目選択画面の例を示す図である。
【図１１】文字サイズ設定画面の例を示す図である。
【図１２】複合機における表示部の表示制御を示すフローチャートである。
【図１３】ウェブページ表示画面の例を示す図である。
【図１４】ウェブブラウザでウェブページ表示設定を受け付けた場合の処理を示すフローチャートである。
【図１５】ウェブブラウザでウェブページ表示設定を入力する場合の表示画面例を示す図である。
【符号の説明】
【００７１】
１          複合機
４７        操作パネル
５０        制御ユニット
５２        制御部
５２１      メインコントローラユニット
５２１１    動作制御部
５２１２    動作設定部
５２２      表示制御ユニット
５２２１    ウェブブラウザ
５２２２    パネルアプリケーション
５２２３    ウェブ表示制御部
５２２４    ウェブページ表示設定受付部
４１０      表示部
【図１】
2010068456.tif 000003
【図２】
2010068456.tif 000004
【図３】
2010068456.tif 000005
【図４】
2010068456.tif 000006
【図５】
2010068456.tif 000007
【図６】
2010068456.tif 000008
【図７】
2010068456.tif 000009
【図８】
2010068456.tif 000010
【図９】
2010068456.tif 000011
【図１０】
2010068456.tif 000012
【図１１】
2010068456.tif 000013
【図１２】
2010068456.tif 000014
【図１３】
2010068456.tif 000015
【図１４】
2010068456.tif 000016
【図１５】
2010068456.tif 000017